(57)【要約】  【課題】  利便性を向上できる記録再生装置を提供する。  【解決手段】  ＥＰＧを受信して番組を検索できるとともに、毎日や毎週等の定期的に同じ時間帯の番組を連続して予約録画する定期録画が可能な記録再生装置１において、定期録画により録画予約された番組が予約した時刻及びチャンネルで放送されないときに、該番組と同じチャンネルの異なる時間帯を検索するとともに該番組と異なるチャンネルを検索し、中止された番組を検出したときに時刻及びチャンネルの少なくとも一方を変更して該番組を予約録画する。【選択図】      図２
0003111749.tif 000002
【実用新案登録請求の範囲】
【請求項１】
ＥＰＧを受信して番組を検索できるとともに、毎日または毎週同じ時間帯の番組を連続
して予約録画する定期録画が可能な記録再生装置において、定期録画により録画予約され
た番組が予約した時刻及びチャンネルで放送されないときに、予約した時刻及びチャンネ
ルで録画を行うか否かを使用者に問い合わせて使用者の指示に応じて該録画を行うととも
に、該番組と同じチャンネルの異なる時間帯及び該番組と異なるチャンネルを検索し、予
約通り放送されなかった該番組を検出したときに時刻及びチャンネルの少なくとも一方を
変更して該番組を予約録画することを特徴とする記録再生装置。
【請求項２】
ＥＰＧを受信して番組を検索できるとともに、定期的に同じ時間帯の番組を連続して予
約録画する定期録画が可能な記録再生装置において、定期録画により録画予約された番組
が予約した時刻及びチャンネルで放送されないときに、該番組と同じチャンネルの異なる
時間帯及び該番組と異なるチャンネルを検索し、予約通り放送されなかった該番組を検出
したときに時刻及びチャンネルの少なくとも一方を変更して該番組を予約録画することを
特徴とする記録再生装置。
【請求項３】
録画予約された番組が予約した時刻及びチャンネルで放送されないときに、予約した時
刻及びチャンネルで録画を行うか否かを使用者に問い合わせることを特徴とする請求項２
に記載の記録再生装置。
【請求項４】
録画予約された番組が予約した時刻及びチャンネルで放送されないときに、時刻及びチ
ャンネルの少なくとも一方を変更して録画することを通知することを特徴とする請求項１
〜請求項３のいずれかに記載の記録再生装置。
【考案の詳細な説明】
【技術分野】
【０００１】
本考案は、ＥＰＧ機能を有するとともに、毎週や毎日等の定期的に同じ時間帯の番組を
連続して予約録画できる記録再生装置に関する。
【背景技術】
【０００２】
ＶＣＲ、ＤＶＤレコーダ、ＨＤＤレコーダ等の従来の記録再生装置は特許文献１に開示
されている。この記録再生装置はＥＰＧ（Electronic Program Guide）を受信して番組案
内を表示できるとともに、毎日録画や毎週録画により定期的に同じ時間帯の番組を予約録
画できるようになっている。
【０００３】
また、毎日録画や毎週録画を録画予約している番組の放送時刻が変更になるとＥＰＧが
サーチされる。放送時刻が変更された番組をＥＰＧから同じチャンネルで検出すると予約
時刻を変更して該番組の予約録画が行われる。これにより、特別番組等による番組の変更
に追従して予約録画を行い、録画ミスを防止できるようになっている。
【特許文献１】特開２００３−４６９２１号公報（第３頁−第１２頁、第３図）
【考案の開示】
【考案が解決しようとする課題】
【０００４】
しかしながら、上記従来の記録再生装置によると、特別番組等により放送時刻が変更に
なった場合は録画ミスを防止できるが、放送されるチャンネルが変更になると番組を検出
することができず、録画ミスが生じる。このため、記録再生装置の利便性が悪い問題があ
った。
【０００５】
本考案は、利便性を向上できる記録再生装置を提供することを目的とする。
【課題を解決するための手段】
【０００６】
上記目的を達成するために本考案は、ＥＰＧを受信して番組を検索できるとともに、毎
日または毎週同じ時間帯の番組を連続して予約録画する定期録画が可能な記録再生装置に
おいて、定期録画により録画予約された番組が予約した時刻及びチャンネルで放送されな
いときに、予約した時刻及びチャンネルで録画を行うか否かを使用者に問い合わせて使用
者の指示に応じて該録画を行うとともに、該番組と同じチャンネルの異なる時間帯及び該
番組と異なるチャンネルを検索し、予約通り放送されなかった該番組を検出したときに時
刻及びチャンネルの少なくとも一方を変更して該番組を予約録画することを特徴としてい
る。
【０００７】
この構成によると、ＥＰＧを出力してディスプレイに表示し、番組を選択して視聴でき
るとともに録画予約することができる。定期録画に設定すると、毎日または毎週同じ時間
帯の番組が連続して予約録画される。特別番組等により定期録画に予約された番組が中止
されると予約された時刻及びチャンネルのままで録画を行うか否かを報知して使用者に問
い合わされる。使用者は録画を行うか否かを指示し、録画を行う指示によって別の番組の
予約録画が行われる。また、ＥＰＧによるタイトルや回数等の情報から中止された番組が
同じチャンネルの別の時間帯及び別のチャンネルに在るか否かが検索される。中止された
番組を検出すると時刻またはチャンネルを変更した録画予約が追加され、追加された予約
録画が行われる。
【０００８】
また本考案は、ＥＰＧを受信して番組を検索できるとともに、定期的に同じ時間帯の番
組を連続して予約録画する定期録画が可能な記録再生装置において、定期録画により録画
予約された番組が予約した時刻及びチャンネルで放送されないときに、該番組と同じチャ
ンネルの異なる時間帯及び該番組と異なるチャンネルを検索し、予約通り放送されなかっ
た該番組を検出したときに時刻及びチャンネルの少なくとも一方を変更して該番組を予約
録画することを特徴としている。
【０００９】
この構成によると、ＥＰＧを出力してディスプレイに表示し、番組を選択して視聴でき
るとともに録画予約することができる。定期録画に設定すると、毎日または毎週等の定期
的に同じ時間帯の番組が連続して予約録画される。特別番組等により定期録画に予約され
た番組が中止されると、ＥＰＧによるタイトルや回数等の情報から中止された番組が同じ
チャンネルの別の時間帯及び別のチャンネルに在るか否かが検索される。中止された番組
を検出すると時刻またはチャンネルを変更した録画予約が追加され、追加された予約録画
が行われる。
【００１０】
また本考案は、上記構成の記録再生装置において、録画予約された番組が予約した時刻
及びチャンネルで放送されないときに、予約した時刻及びチャンネルで録画を行うか否か
を使用者に問い合わせることを特徴としている。この構成によると、定期録画に予約され
た番組が中止されると予約された時刻及びチャンネルのままで録画を行うか否かを報知し
て使用者に問い合わされる。使用者は録画を行うか否かを指示し、指示に応じて別の番組
の予約録画が行われる。
【００１１】
また本考案は、上記構成の記録再生装置において、録画予約された番組が予約した時刻
及びチャンネルで放送されないときに、時刻及びチャンネルの少なくとも一方を変更して
録画することを通知することを特徴としている。この構成によると、定期録画に予約され
た番組が中止され、中止された番組が同じチャンネルの別の時間帯及び別のチャンネルの
検索により検出されると、時刻またはチャンネルを変更した録画予約が追加され、録画予
約を追加したことが使用者に通知される。
【考案の効果】
【００１２】
本考案によると、定期録画により録画予約された番組が予約した時刻及びチャンネルで
放送されないときに、該番組と同じチャンネルの異なる時間帯を検索するとともに該番組
と異なるチャンネルを検索し、中止された番組を検出して予約録画するので、中止した番
組のチャンネルが変更になっても変更に追随して録画することができる。従って、録画ミ
スを防止し、より利便性の高い記録再生装置を実現することができる。
【００１３】
また本考案によると、録画予約された番組が予約した時刻及びチャンネルで放送されな
いときに、予約した時刻及びチャンネルで録画を行うか否かを使用者に問い合わせるので
、使用者の選択に応じて録画が実行または中止され、記録再生装置の利便性がより向上す
る。
【００１４】
また本考案によると、録画予約された番組が予約した時刻及びチャンネルで放送されな
いときに、時刻及びチャンネルの少なくとも一方を変更して録画することを通知するので
、使用者が予約の変更を認知することができ、記録再生装置の利便性がより向上する。
【考案を実施するための最良の形態】
【００１５】
以下に本考案の実施形態を図面を参照して説明する。図１は一実施形態の記録再生装置
であるＨＤＤレコーダの構成を示すブロック図である。ＨＤＤレコーダ１は各部を制御す
るＣＰＵ２を有している。ＣＰＵ２には電源ユニット３、チューナ４、デコーダ５、ＨＤ
Ｄ６、ＭＰＥＧコーデック部７、フロントパネル８、赤外線受光部９が接続される。
【００１６】
電源ユニット３はＣＰＵ２を介して各部に電源を供給する。チューナ４はＨＤＤレコー
ダ１に接続されるアンテナ（不図示）を介して受信したテレビ放送電波を分波し、音声信
号及びビデオ信号を出力する。デコーダ５は音声信号及びビデオ信号をデジタル信号に変
換する。ＭＰＥＧコーデック部７はデジタル信号をＭＰＥＧ規格のデータに圧縮する。Ｈ
ＤＤ６はデジタルデータを記憶する。
【００１７】
フロントパネル８はＨＤＤレコーダ１の前面に設けられ、使用者の操作を行うとともに
動作状態を表示する。赤外線受光部９はリモートコントローラ（不図示）の操作信号を受
信する。また、ＨＤＤレコーダ１の動作プログラムの格納やＣＰＵ２による演算結果の一
時記憶を行うメモリ（不図示）が設けられている。
【００１８】
フロントパネル８またはリモートコントローラの操作により録画を開始すると、アンテ
ナで受信したテレビ放送電波がチューナ４により分波され、音声信号及びビデオ信号が出
力される。音声信号及びビデオ信号はデコーダ５によりデジタル信号に変換され、ＭＰＥ
Ｇコーデック部７でＭＰＥＧ規格のデータに圧縮してＨＤＤ６に記録される。これにより
、番組の録画が行われる。
【００１９】
フロントパネル８またはリモートコントローラの操作により再生を開始すると、ＨＤＤ
６から録画した圧縮データが取り出される。取り出した圧縮データはＭＰＥＧコーデック
部７で展開され、エンコード部（不図示）で音声信号及びビデオ信号に変換後出力して、
ＨＤＤレコーダー１に接続したディスプレイ（不図示）に表示される。これにより、録画
された番組を再生して視聴することができる。
【００２０】
また、ＨＤＤレコーダー１はフロントパネル８またはリモートコントローラの操作によ
って予め番組を指定することにより予約録画することができる。ＨＤＤレコーダー１は複
数の録画予約が可能になっており、録画予約される各番組は曜日または日付、開始時刻、
終了時刻、チャンネルを指定することにより特定される。
【００２１】
また、録画予約する際には毎日録画及び毎週録画から成る定期録画を選択することがで
きる。毎日録画は日曜日から土曜日まで若しくは月曜日から金曜日まで毎日同じ時間帯の
番組を連続して録画することができる。毎週録画は毎週同じ曜日で同じ時間帯の番組を連
続して録画することができる。
【００２２】
図２はＨＤＤレコーダー１で録画予約した番組を監視する予約監視処理の動作を示すフ
ローチャートである。フロントパネル８またはリモートコントローラの操作によって予約
録画に設定すると、所定の時間間隔で予約番組が監視される。ステップ＃１１では所定時
間が経過するまで待機する。
【００２３】
所定時間が経過すると、ＥＰＧをサーチして定期録画された予約番組が予約した時刻及
びチャンネルで存在するか否かが判断される。番組がある場合はステップ＃１１に戻り、
特別番組等によって番組が中止された場合はステップ＃１４に移行する。ステップ＃１４
では、定期録画の予約した番組が中止になったため、予約通りの時刻及びチャンネルで別
の番組を録画するか、この予約録画をスキップするかをディスプレイ等に表示して使用者
に問い合わされる。使用者はリモートコントローラ等の操作により予約通り録画を行うか
否かを指示できる。尚、使用者による指示がない場合は予約録画をスキップするようにな
っている。
【００２４】
ステップ＃１５では中止された番組のタイトルや回数等からＥＰＧをサーチして、該番
組が別の日を含む同じチャンネルの別の時間帯や、別のチャンネルにあるか否かが検索さ
れる。該番組が検出されないときはステップ＃１１に戻り、該番組を検出したときはステ
ップ＃１７に移行する。
【００２５】
ステップ＃１７では検出した番組の放送時刻及びチャンネルに応じて録画予約を追加す
る。ステップ＃１８では使用者により設定した定期録画による録画予約に対して時刻また
はチャンネルを変更した録画予約が追加されたことをディスプレイ等に表示して使用者に
通知する。そしてステップ＃１１に戻り同様の動作が繰り返し行われる。
【００２６】
図３は予約録画の動作を示すフローチャートである。ステップ＃２１では録画予約され
た番組の開始時刻になるまで待機する。録画予約された番組の開始時刻になるとステップ
＃２２に移行する。ステップ＃２２では、前述の図２のステップ＃１４で該番組の録画を
スキップするか否かの問合せに対してスキップする指示があったか否かが判断される。
【００２７】
録画をスキップする場合はステップ＃２１に戻る。使用者が予約した時刻及びチャンネ
ルで録画を行う指示をした場合はステップ＃２３で番組の録画が行われる。そして、ステ
ップ＃２１に戻って次の予約録画の開始時刻まで待機する。
【００２８】
本実施形態によると、定期録画により録画予約された番組が予約した時刻及びチャンネ
ルで放送されないときに、該番組と同じチャンネルの異なる時間帯を検索するとともに該
番組と異なるチャンネルを検索し、中止された番組を検出して予約録画するので、中止し
た番組のチャンネルが変更になっても変更に追随して録画することができる。従って、録
画ミスを防止し、より利便性の高いＨＤＤレコーダー１を実現することができる。
【００２９】
本実施形態において、毎日録画及び毎週録画による定期録画の機能を備えたＨＤＤレコ
ーダー１について説明しているが、隔週や毎月等の定期的に同じ時間帯の番組を予約でき
る定期録画の場合も同様の効果を得ることができる。また、ＨＤＤレコーダー１に限らず
、ＶＣＲやＤＶＤレコーダー等の他の記録再生装置であってもよい。
【産業上の利用可能性】
【００３０】
本考案によると、ＶＣＲ、ＤＶＤレコーダー、ＨＤＤレコーダー等の番組を予約録画す
る記録再生装置に利用することができる。
【図面の簡単な説明】
【００３１】
【図１】本考案の実施形態のＨＤＤレコーダーの構成を示すブロック図
【図２】本考案の実施形態のＨＤＤレコーダーの予約監視の動作を示すフローチャート
【図３】本考案の実施形態のＨＤＤレコーダーの予約録画の動作を示すフローチャート
【符号の説明】
【００３２】
１    ＨＤＤレコーダ
２    ＣＰＵ
３    電源ユニット
４    チューナ
５    デコーダ
６    ＨＤＤ
７    ＭＰＥＧコーデック部
８    フロントパネル
９    赤外線受光部
【図１】
0003111749.tif 000003
【図２】
0003111749.tif 000004
【図３】
0003111749.tif 000005
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
ＥＰＧ及び番組を受信するチューナと、番組を録画する記憶部と、使用者の操作を受け
付ける操作部と、前記操作部の操作に基づいて前記記憶部を制御する制御部とを備え、Ｅ
ＰＧを受信して番組を検索できるとともに、毎日または毎週同じ時間帯の番組を連続して
予約録画する定期録画が可能な記録再生装置において、前記制御部は、定期録画により録
画予約された番組が予約した時刻及びチャンネルで放送されないときに、予約した時刻及
びチャンネルで録画を行うか否かを使用者に問い合わせて使用者の指示に応じて該録画を
行うとともに、該番組と同じチャンネルの異なる時間帯及び該番組と異なるチャンネルを
検索し、予約通り放送されなかった該番組を検出したときに時刻及びチャンネルの少なく
とも一方を変更して該番組を予約録画することを特徴とする記録再生装置。
【請求項２】
ＥＰＧ及び番組を受信するチューナと、番組を録画する記憶部と、使用者の操作を受け
付ける操作部と、前記操作部の操作に基づいて前記記憶部を制御する制御部とを備え、Ｅ
ＰＧを受信して番組を検索できるとともに、定期的に同じ時間帯の番組を連続して予約録
画する定期録画が可能な記録再生装置において、前記制御部は、定期録画により録画予約
された番組が予約した時刻及びチャンネルで放送されないときに、該番組と同じチャンネ
ルの異なる時間帯及び該番組と異なるチャンネルを検索し、予約通り放送されなかった該
番組を検出したときに時刻及びチャンネルの少なくとも一方を変更して該番組を予約録画
することを特徴とする記録再生装置。
【請求項３】
前記制御部は、録画予約された番組が予約した時刻及びチャンネルで放送されないとき
に、予約した時刻及びチャンネルで録画を行うか否かを使用者に問い合わせることを特徴
とする請求項２に記載の記録再生装置。
【請求項４】
前記制御部は、録画予約された番組が予約した時刻及びチャンネルで放送されないとき
に、時刻及びチャンネルの少なくとも一方を変更して録画することを通知することを特徴
とする請求項１〜請求項３のいずれかに記載の記録再生装置。
【手続補正２】
【補正対象書類名】明細書
【補正対象項目名】０００６
【補正方法】変更
【補正の内容】
【０００６】
上記目的を達成するために本考案は、ＥＰＧ及び番組を受信するチューナと、番組を録
画する記憶部と、使用者の操作を受け付ける操作部と、前記操作部の操作に基づいて前記
記憶部を制御する制御部とを備え、ＥＰＧを受信して番組を検索できるとともに、毎日ま
たは毎週同じ時間帯の番組を連続して予約録画する定期録画が可能な記録再生装置におい
て、前記制御部は、定期録画により録画予約された番組が予約した時刻及びチャンネルで
放送されないときに、予約した時刻及びチャンネルで録画を行うか否かを使用者に問い合
わせて使用者の指示に応じて該録画を行うとともに、該番組と同じチャンネルの異なる時
間帯及び該番組と異なるチャンネルを検索し、予約通り放送されなかった該番組を検出し
たときに時刻及びチャンネルの少なくとも一方を変更して該番組を予約録画することを特
徴としている。
【手続補正３】
【補正対象書類名】明細書
【補正対象項目名】０００８
【補正方法】変更
【補正の内容】
【０００８】
また本考案は、ＥＰＧ及び番組を受信するチューナと、番組を録画する記憶部と、使用
者の操作を受け付ける操作部と、前記操作部の操作に基づいて前記記憶部を制御する制御
部とを備え、ＥＰＧを受信して番組を検索できるとともに、定期的に同じ時間帯の番組を
連続して予約録画する定期録画が可能な記録再生装置において、前記制御部は、定期録画
により録画予約された番組が予約した時刻及びチャンネルで放送されないときに、該番組
と同じチャンネルの異なる時間帯及び該番組と異なるチャンネルを検索し、予約通り放送
されなかった該番組を検出したときに時刻及びチャンネルの少なくとも一方を変更して該
番組を予約録画することを特徴としている。
【手続補正４】
【補正対象書類名】明細書
【補正対象項目名】００１０
【補正方法】変更
【補正の内容】
【００１０】
また本考案は、上記構成の記録再生装置において、前記制御部は、録画予約された番組
が予約した時刻及びチャンネルで放送されないときに、予約した時刻及びチャンネルで録
画を行うか否かを使用者に問い合わせることを特徴としている。この構成によると、定期
録画に予約された番組が中止されると予約された時刻及びチャンネルのままで録画を行う
か否かを報知して使用者に問い合わされる。使用者は録画を行うか否かを指示し、指示に
応じて別の番組の予約録画が行われる。
【手続補正５】
【補正対象書類名】明細書
【補正対象項目名】００１１
【補正方法】変更
【補正の内容】
【００１１】
また本考案は、上記構成の記録再生装置において、前記制御部は、録画予約された番組
が予約した時刻及びチャンネルで放送されないときに、時刻及びチャンネルの少なくとも
一方を変更して録画することを通知することを特徴としている。この構成によると、定期
録画に予約された番組が中止され、中止された番組が同じチャンネルの別の時間帯及び別
のチャンネルの検索により検出されると、時刻またはチャンネルを変更した録画予約が追
加され、録画予約を追加したことが使用者に通知される。